(57)【要約】【課題】コンタクトとハウジングとの間にガタを生じさせることなくハウジングに対するコンタクトの取り付けを達成する電気コネクタを提供すること。【解決手段】コンタクト１１０と、コンタクト１１０を一側面側から挿入させてコンタクト収容部１８０内に収容して保持するハウジング１７０とを備え、コンタクト１１０は、コンタクト結線部１２０と、ハウジング係合部１８１ａに係合するコンタクト係合部１３０と、ハウジング係止部１８３により係止されるコンタクト係止部１５０と、コンタクトバネ部１４０とを備える電気コネクタ１００。【選択図】図４
2011150957.tif 000002
【特許請求の範囲】
【請求項１】
コンタクト収容部を内部に有するハウジングと、前記コンタクト収容部の内部に一方向から挿入されて収容されるコンタクトを備え、
前記ハウジングは、前記コンタクトに係合するハウジング係合部と、該ハウジング係合部のコンタクト挿入方向前方側に形成されて前記コンタクトを係止するハウジング係止部とを有し、
前記コンタクトは、外部に接続されるコンタクト結線部と、該コンタクト結線部のコンタクト挿入方向前方側に設けられて前記ハウジング係合部に係合するコンタクト係合部と、該コンタクト係合部のコンタクト挿入方向前方側に設けられて前記ハウジング係止部により係止されるコンタクト係止部と、前記コンタクト係合部とコンタクト係止部との間に設けられるコンタクトバネ部とを備えていることを特徴とする電気コネクタ。
【請求項２】
前記コンタクトバネ部は、前記ハウジングに対してコンタクトを取り付ける際に前記コンタクト係合部とコンタクト係止部とで前記ハウジング係合部とハウジング係止部とを挟み込むように弾性力を生じるように設計されていることを特徴とする請求項１に記載の電気コネクタ。
【請求項３】
前記コンタクトバネ部は、前記コンタクトをコンタクト厚み方向に折り曲げることで形成されていることを特徴とする請求項１または請求項２に記載の電気コネクタ。
【請求項４】
前記コンタクト収容部は、第１内側面と、該第１の内側面に対向する第２内側面とを有し、
前記ハウジング係合部は、前記第１内側面に形成され、
前記コンタクトバネ部は、前記第２内側面に当接するバネ当接部を有していることを特徴とする請求項１乃至請求項３のいずれかに記載の電気コネクタ。
【請求項５】
前記ハウジング係止部は、前記ハウジングの第１内側面側の端部に形成され、
前記コンタクト係止部は、前記コンタクトの先端を折り曲げて形成されたＵ字形状を呈していることを特徴とする請求項４に記載の電気コネクタ。
【請求項６】
前記第２内側面は、前記コンタクト挿入方向前方に向けてコンタクト収容部の内側に傾斜する位置決め傾斜面を前記バネ当接部に当接する領域に有していることを特徴とする請求項４または請求項５に記載の電気コネクタ。
【請求項７】
前記バネ当接部は、緩やかなＲ形状を呈していることを特徴とする請求項４乃至請求項６のいずれかに記載の電気コネクタ。
【請求項８】
前記コンタクトは、前記コンタクトバネ部とコンタクト係止部との間に設けられて前記第１内側面に内接するコンタクト内接部を有していることを特徴とする請求項４乃至請求項７のいずれかに記載の電気コネクタ。
【請求項９】
前記コンタクト結線部は、前記第１内側面に内接していることを特徴とする請求項４乃至請求項７のいずれかに記載の電気コネクタ。
【請求項１０】
前記ハウジングは、前記コンタクトをコンタクト幅方向に位置決めする位置決め溝部を有していることを特徴とする請求項１乃至請求項９のいずれかに記載の電気コネクタ。
【発明の詳細な説明】
【技術分野】
【０００１】
本発明は、接続対象物を電気的にかつ相互に接続するための電気コネクタに関する。
【背景技術】
【０００２】
従来、図９に示すように、一端にケーブル先端Ｅ１を保持したボックスタイプのコンタクト５１０と、このコンタクト５１０を収容する複数のコンタクト収容孔５８０と該コンタクト収容孔５８０内に突出してコンタクト５１０の上方においてコンタクト５１０を係止する弾性ランス５７１とを有するインシュレータ５７０と、を備えたコネクタ５００が知られている（例えば、特許文献１参照。）。
【先行技術文献】
【特許文献】
【０００３】
【特許文献１】特開平９−３５７９９号公報（特許請求の範囲、図５および図６）
【発明の概要】
【発明が解決しようとする課題】
【０００４】
ところが、従来のコネクタ５００では、図９および図１０に示すように、コンタクト収容孔５８０に連通する開口部５８４からコンタクト５１０を挿入し、コンタクト５１０に形成された係止部５１１をインシュレータ５７０に形成された弾性ランス５７１に引掛けて係止する構造を採用しているため、係止部５１１を弾性ランス５７１に円滑に係合させるためにコンタクト５１０とインシュレータ５７０との間に一定量のクリアランスを必要とし、このクリアランスに起因して、コンタクト５１０はインシュレータ５７０に対してガタつきを生じるという問題があった。
【０００５】
そこで、本発明は、従来の問題を解決するものであって、すなわち、本発明の目的は、コンタクトとハウジングとの間にガタを生じさせることなくハウジングに対するコンタクトの取り付けを達成する電気コネクタを提供することである。
【課題を解決するための手段】
【０００６】
本発明の電気コネクタは、コンタクト収容部を内部に有するハウジングと、前記コンタクト収容部の内部に一方向から挿入されて収容されるコンタクトを備え、前記ハウジングは、前記コンタクトに係合するハウジング係合部と、該ハウジング係合部のコンタクト挿入方向前方側に形成されて前記コンタクトを係止するハウジング係止部とを有し、前記コンタクトは、外部に接続されるコンタクト結線部と、該コンタクト結線部のコンタクト挿入方向前方側に設けられて前記ハウジング係合部に係合するコンタクト係合部と、該コンタクト係合部のコンタクト挿入方向前方側に設けられて前記ハウジング係止部により係止されるコンタクト係止部と、前記コンタクト係合部とコンタクト係止部との間に設けられるコンタクトバネ部とを備えていることにより、前述した課題を解決したものである。
【発明の効果】
【０００７】
本発明の電気コネクタによれば、ハウジングに対するコンタクトの取り付け時に、ハウジング係合部に係合するコンタクト係合部とハウジング係止部により係止されるコンタクト係止部との間で、コンタクトバネ部が弾性力を発揮して、コンタクトとハウジングとの間のクリアランスを排除するため、ガタを生じさせることなくコンタクトをハウジングに確実に固定することができる。
【図面の簡単な説明】
【０００８】
【図１】本発明の一実施例である電気コネクタを示す全体斜視図。
【図２】図１の逆方向から見た電気コネクタを示す全体斜視図。
【図３】電気コネクタと相手側電気コネクタとを示す全体斜視図。
【図４】電気コネクタを示す断面図。
【図５】ハウジングにコンタクトを取り付ける際における第１過程を示す説明図。
【図６】ハウジングにコンタクトを取り付ける際における第２過程を示す説明図。
【図７】ハウジングにコンタクトを取り付ける際における第３過程を示す説明図。
【図８】ハウジングにコンタクトを取り付ける際における第４過程を示す説明図。
【図９】従来のコネクタの一部を断面視して示す説明図。
【図１０】弾性ランスとコンタクトとの係合状態を示す一部拡大図。
【発明を実施するための形態】
【０００９】
以下、本発明の一実施例である電気コネクタ１００を図面に基づいて説明する。
【実施例】
【００１０】
まず、本発明の一実施例である電気コネクタ１００は、図１および図２に示すように、電気ケーブルＥのケーブル先端部Ｅ１に接続される複数のコンタクト１１０と、複数のコンタクト１１０を一側面側から挿入させてその内部に形成されたコンタクト収容部１８０内に所定ピッチで並列状に収容する単一部材のハウジング１７０とを備えている。
コンタクト１１０は、リン青銅から成形され、ハウジング１７０は、絶縁性の樹脂から成形されている。
【００１１】
この電気コネクタ１００は、図３に示すように、相手側電気コネクタＯに接続され、ハウジング１７０に形成されて相手側ハウジングＨに引掛かるロック用クリップ片１９０により、相手側電気コネクタＯに固定されるように設計されている。
なお、図３に示す符号Ｃは、コンタクト１１０に接続される相手側コンタクトである。
【００１２】
コンタクト１１０は、図４に示すように、帯板状で、コンタクト結線部１２０と、このコンタクト結線部１２０のコンタクト挿入方向Ｄ１の前方側に設けられたコンタクト係合部１３０と、このコンタクト係合部１３０のコンタクト挿入方向Ｄ１の前方側に設けられたコンタクトバネ部１４０と、このコンタクトバネ部１４０のコンタクト挿入方向Ｄ１の前方側に設けられたコンタクト係止部１５０と、コンタクトバネ部１４０とコンタクト係止部１５０との間に設けられたコンタクト内接部１６０とを備えている。
【００１３】
コンタクト結線部１２０は、図４に示すように、ケーブル先端部Ｅ１に接続され、コンタクト収容部１８０の第１内側面１８１に内接している。
【００１４】
コンタクト係合部１３０は、図４に示すように、コンタクト収容部１８０の第１内側面１８１に段差状に形成されたハウジング係合部１８１ａに係合している。
このコンタクト係合部１３０は、図４に示すように、緩やかなＲ形状を呈している。
また、ハウジング係合部１８１ａは、図４に示すように、コンタクト挿入方向Ｄ１の前方に向けてコンタクト収容部１８０の内側に傾斜している。
【００１５】
コンタクトバネ部１４０は、図４に示すように、帯板状のコンタクト１１０をコンタクト厚み方向Ｄ２に折り曲げることで形成され、後述するバネ当接部１４１を頂点とする山形形状を呈している。
このコンタクトバネ部１４０は、図４に示すように、コンタクト収容部１８０の第１内側面１８１に対向する第２内側面１８２に当接するバネ当接部１４１を有している。
このバネ当接部１４１は、緩やかなＲ形状を呈している。
また、第２内側面１８２は、図４に示すように、バネ当接部１４１に当接する領域に、コンタクト挿入方向Ｄ１の前方に向けてコンタクト収容部１８０の内側に傾斜する位置決め傾斜面１８２ａを有している。
【００１６】
コンタクト係止部１５０は、図４に示すように、コンタクト１１０の先端をハウジング１７０の外側に向けて折り曲げることで形成されたＵ字形状を呈している。
このコンタクト係止部１５０は、図４に示すように、ハウジング１７０の第１内側面１８１側の端部に形成されたハウジング係止部１８３に引掛けられている。
【００１７】
コンタクト内接部１６０は、図４に示すように、コンタクト収容部１８０の第１内側面１８１に内接している。
【００１８】
ハウジング１７０は、図１に示すように、コンタクト収容部１８０の第１内側面１８１に凹設されてコンタクト１１０をコンタクト幅方向Ｄ３に位置決めする位置決め溝部１８１ｂを有している。
【００１９】
以下に、ハウジング１７０に対するコンタクト１１０の取り付け方法、および、このコンタクト１１０の取り付け時におけるコンタクト１１０の作用について、図５乃至図８に基づいて、説明する。
【００２０】
まず、図１に示すように、作業者は、ケーブル先端部Ｅ１の内部に配置された導線Ｅ２をコンタクト結線部１２０に、ハンダ付け等の手段を用いて接続する。
なお、導線Ｅ２とコンタクト結線部１２０との接続手段は、圧着、レーザー接着、等の如何なる手段であっても良い。
【００２１】
次に、図５に示すように、作業者は、コンタクト収容部１８０のコンタクト挿入方向Ｄ１の後方に形成された挿入開口部１８４からコンタクト１１０をコンタクト挿入方向Ｄ１の前方に向けて挿入する。
【００２２】
次に、図６に示すように、作業者は、コンタクト１１０をコンタクト挿入方向Ｄ１の前方に向けて更に挿入する。
この際、コンタクト係止部１５０が第１内側面１８１によりコンタクト収容部１８０の内側に向けて突き上げられ、コンタクトバネ部１４０は、弾性変形する。
【００２３】
次に、図７に示すように、作業者は、コンタクト１１０をコンタクト挿入方向Ｄ１の前方に向けて更に挿入する。
この際、バネ当接部１４１が位置決め傾斜面１８２ａに当接し、コンタクトバネ部１４０は、図７に示すように、コンタクト挿入方向Ｄ１の前後方向に広がる、すなわち、コンタクト厚み方向Ｄ２に潰されるように弾性変形する。
【００２４】
次に、図８に示すように、作業者は、コンタクト１１０をコンタクト挿入方向Ｄ１の前方に向けて更に挿入する。
この際、図６および図７に示す状態でコンタクト収容部１８０の内側に向けて突き上げられていたコンタクト係止部１５０は、第１内側面１８１による支持を失い、コンタクトバネ部１４０が弾性復帰するため、コンタクト係止部１５０は、ハウジング係止部１８３に自動的に引掛かる。
そして、図７に示す状態ではコンタクト挿入方向Ｄ１に広がるように弾性変形していたコンタクトバネ部１４０は、コンタクト係合部１３０とコンタクト係止部１５０とでハウジング係合部１８１ａとハウジング係止部１８３とを挟み込むように弾性復帰する。
【００２５】
なお、コンタクト１１０は、ハウジング１７０に対するコンタクト１１０の取り付けの完了後においても、コンタクト係合部１３０とコンタクト係止部１５０とでハウジング係合部１８１ａとハウジング係止部１８３とを挟み込むように弾性力を発揮するように寸法設計されていても良く、また、コンタクト１１０の取り付けの完了後においては、バネ部１４０が何ら弾性力を発揮しないように寸法設計されていても構わない。
【００２６】
このようにして得られた本実施例の電気コネクタ１００は、コンタクト１１０が、外部に接続されるコンタクト結線部１２０と、ハウジング係合部１８１ａに係合するコンタクト係合部１３０と、コンタクトバネ部１４０と、ハウジング係止部１８３により係止されるコンタクト係止部１５０とを備えている。
したがって、ハウジング１７０に対するコンタクト１１０の取り付け時に、ハウジング係合部１８１ａに係合するコンタクト係合部１３０とハウジング係止部１８３により係止されるコンタクト係止部１５０との間で、コンタクトバネ部１４０が弾性力を発揮して、コンタクト１１０とハウジング１７０との間を確りと固定保持するため、コンタクト１１０とハウジング１７０との間のガタ、すなわち、コンタクト収容部１８０内でコンタクト１１０が動く余地を生じさせることなくコンタクト１１０をハウジング１７０に確実に固定することができる。
【００２７】
また、本実施例の電気コネクタ１００では、ハウジング１７０の挿入開口部１８４からコンタクト１１０を挿入するだけで、コンタクトバネ部１４０が弾性力を発揮して、コンタクト係止部１５０がハウジング係止部１８３に自動的に引掛かるとともに、コンタクト係合部１３０がハウジング係合部１８１ａに自動的に係合するため、ハウジング１７０に対するコンタクト１１０の取り付けを容易に達成でき、コンタクト１１０の取り付けに係る作業負担を低減できる。
【００２８】
コンタクトバネ部１４０は、第２内側面１８２に当接するバネ当接部１４１を有している。
したがって、コンタクト１１０のコンタクト厚み方向Ｄ２への移動が規制されるため、コンタクト１１０とハウジング１７０との間のガタをより確実に排除できる。
【００２９】
バネ当接部１４１は、緩やかなＲ形状を呈している。
したがって、コンタクト１１０の取り付け時に、バネ当接部１４１と第２内側面１８２とが過度に干渉する、すなわち、相互に引っ掛かることを抑制するため、コンタクト収容部１８０内へコンタクト１１０を円滑に挿入できる。
【００３０】
第２内側面１８２は、バネ当接部１４１に当接する領域に、コンタクト挿入方向Ｄ１の前方に向けてコンタクト収容部１８０の内側に傾斜する位置決め傾斜面１８２ａを有している。
したがって、バネ当接部１４１と位置決め傾斜面１８２ａとの当接により、コンタクト１１０のコンタクト挿入方向Ｄ１の前方に向けた移動が規制されるため、コンタクト１１０をコンタクト挿入方向Ｄ１に位置決めできる。
【００３１】
コンタクト係止部１５０は、コンタクト１１０の先端を折り曲げてハウジング係止部１８３に引掛けられるＵ字形状を呈している。
したがって、コンタクト係止部１５０がハウジング係止部１８３により強固に係止されるため、コンタクト１１０のコンタクト幅方向Ｄ３の寸法を小さく設定した場合でも充分な係止力を得ることができ、電気コネクタ１００全体のコンタクト幅方向Ｄ３における寸法をコンパクトに設計できる。
また、前述したように、コンタクト係止部１５０がハウジング係止部１８３により強固に係止されることにより、コンタクト１１０をハウジング１７０内に圧入嵌合してコンタクト１１０を固定する構成を採用した場合と比較して、ハウジング１７０に対するコンタクト１１０の固定強度をハウジング１７０とコンタクト１１０との間の接触面積に依存することを回避しているため、コンタクト挿入方向Ｄ１におけるコンタクト１１０の長さ寸法を短く設計でき、電気コネクタ１００全体のコンタクト挿入方向Ｄ１における寸法をコンパクトに設計できる。
そして、コンタクト１１０の取り付け時に、コンタクト係止部１５０がハウジング係止部１８３に引掛かる際に生じるクリック感を利用して、作業者がコンタクト１１０の取り付けの完了を知覚できるため、コンタクト１１０の取り付け作業を容易に達成し、作業負担を低減できる。
【００３２】
ハウジング係合部１８１ａは、コンタクト挿入方向Ｄ１の前方に向けてコンタクト収容部１８０の内側に傾斜している。
したがって、コンタクト１１０の取り付け時に、コンタクト係止部１５０がハウジング係合部１８１ａに干渉することを回避するため、コンタクト収容部１８０内へコンタクト１１０を円滑に挿入できる。
【００３３】
コンタクト係合部１３０は、緩やかなＲ形状を呈している。
したがって、コンタクト１１０の取り付け時に、コンタクト係合部１３０とハウジング係合部１８１ａとが過度に干渉することを抑制するため、コンタクト収容部１８０内へコンタクト１１０を円滑に挿入できる。
【００３４】
コンタクト１１０は、コンタクト内接部１６０を有している。
したがって、コンタクト１１０とハウジング１７０との接触面積が増大するため、コンタクト１１０とハウジング１７０との間のガタの発生を防止できる。
【００３５】
コンタクト結線部１２０は、コンタクト収容部１８０の第１内側面１８１に内接している。
したがって、コンタクト１１０とハウジング１７０との接触面積が増大して、コンタクト１１０とハウジング１７０との間のガタの発生を防止できる。
【００３６】
ハウジング１７０は、コンタクト１１０用の位置決め溝部１８１ｂを有している。
したがって、コンタクト１１０の取り付け時に、位置決め溝部１８１ｂがコンタクト１１０をコンタクト挿入方向Ｄ１にガイドして、コンタクト収容部１８０内へコンタクト１１０を円滑に挿入でき、コンタクト１１０の取り付け後においても、並列配置された複数のコンタクト１１０の相互干渉を防止できる。
【符号の説明】
【００３７】
１００    ・・・  電気コネクタ
１１０    ・・・  コンタクト
１２０    ・・・  コンタクト結線部
１３０    ・・・  コンタクト係合部
１４０    ・・・  コンタクトバネ部
１４１    ・・・  バネ当接部
１５０    ・・・  コンタクト係止部
１６０    ・・・  コンタクト内接部
１７０    ・・・  ハウジング
１８０    ・・・  コンタクト収容部
１８１    ・・・  第１内側面
１８１ａ  ・・・  ハウジング係合部
１８１ｂ  ・・・  位置決め溝部
１８２    ・・・  第２内側面
１８２ａ  ・・・  位置決め傾斜面
１８３    ・・・  ハウジング係止部
１８４    ・・・  挿入開口部
１９０    ・・・  ロック用クリップ片
Ｅ      ・・・  電気ケーブル
Ｅ１    ・・・  ケーブル先端部
Ｅ２    ・・・  導線
Ｏ      ・・・  相手側電気コネクタ
Ｃ      ・・・  相手側コンタクト
Ｈ      ・・・  相手側ハウジング
Ｄ１    ・・・  コンタクト挿入方向
Ｄ２    ・・・  コンタクト厚み方向
Ｄ３    ・・・  コンタクト幅方向
【図１】
2011150957.tif 000003
【図２】
2011150957.tif 000004
【図３】
2011150957.tif 000005
【図４】
2011150957.tif 000006
【図５】
2011150957.tif 000007
【図６】
2011150957.tif 000008
【図７】
2011150957.tif 000009
【図８】
2011150957.tif 000010
【図９】
2011150957.tif 000011
【図１０】
2011150957.tif 000012